(57)【要約】      （修正有）【課題】 電話機本体とハンドセットからなる電話機において、垂直な壁、柱は勿論、天井、オーバーハングした壁等に取り付けた場合であっても、大きな振動、揺れに対してハンドセットの脱落を防止できる電話機の載置構造を提供する。【解決手段】ハンドセット１の上端部及び下端部にレバー７１，７２を取付け、電話機本体のクレードル２には、受話器載置部上端内壁面、送話器載置部下端内壁面に、係合孔７３，７４を凹設する。ハンドセット１のレバー７１，７２とクレードル２の係合孔８１，８２との係合及びクレードルの内壁面とにより、ハンドセットを支持し、かつハンドセットの移動を押さえることでハンドセットを固定載置する。【選択図】図１
0003164939.tif 000002
【実用新案登録請求の範囲】
【請求項１】
電話機本体とハンドセットからなる電話機のハンドセット載置構造において、
前記ハンドセットは、前記電話機本体から自ハンドセットを取り出す際に押下されるボタンと、前記ハンドセットの上下または左右のいずれか２以上の端面にレバー先端部が出入するガイド孔が形成された端面構造と、前記ボタンが押下されていない状態で前記レバー先端部が前記ガイド孔から突出するバネ構造と、前記ボタンの押下と連動して前記レバー先端部が前記ガイド孔から突出しなくなるレバー構造と、を有し、
前記電話機本体は、前記レバー先端部が前記ガイド孔から突出した状態で、突出した前記レバー先端部と係合する凹設した係合孔を有することを特徴とする電話機のハンドセット固定載置構造。
【考案の詳細な説明】
【技術分野】
【０００１】
本考案は、電話機本体と送受話器（以降、ハンドセットと呼ぶ）とからなる固定式の電話機において、振動等によってどの方向から力が加えられても、電話機本体のハンドセット載置台（以降、クレードルと呼ぶ）にハンドセットが載置された状態を保持することができる電話機の構造に関するものである。
【背景技術】
【０００２】
卓上等での使用を想定している一般的な電話機は、電話機本体とハンドセットから構成され、通常は電話台等の平らな場所に置かれて使用される。これに対して、船舶や電車、飛行機、自動車等の移動体の中に電話機を設置して使用する場合、大きな振動や揺れへの対策として、電話機本体を移動体内側の壁等の固定的に取り付けた上で、ハンドセットがクレードルから脱落し難い構造にする必要がある。また、移動体ではスペースに余裕が無く、垂直な壁や天井、斜めの柱等にも取り付けなければならない場合もある。これを解決する技術として、例えば、自動車電話において、ハンドセットに係止凹部を形成して、該凹部にクレードルの突起とフックを嵌め込む構造が知られている（例えば、特許文献１参照）。
【先行技術文献】
【特許文献】
【０００３】
【特許文献１】特開平５−２６８３０９号公報
【考案の概要】
【考案が解決しようとする課題】
【０００４】
しかしながら、特許文献１に記載された技術では、クレードルの受話器載置部上下にある突起とバネで付勢したフックに対し、ハンドセット受話器部の上下にある係止凹部と係止孔とがそれぞれ係合し、バネの付勢で受話器を挟み付けることによりハンドセット全体を保持する構造のため、大きな振動に対する脱落防止性能は十分とは言えない。さらに、ハンドセットの自重がクレードルの載置面に全く加わらない天井やオーバーハングした壁等での使用においては、ハンドセットの自重自体の他に大きな振動、揺れによる力が加わるので、ハンドセットがクレードルから脱落し易いという問題があった。
【０００５】
そこで、本考案が解決しようとする課題は、垂直な壁、柱は勿論、天井やオーバーハングした壁等にも取り付けた場合であっても、大きな振動、揺れに対してハンドセットの脱落を防止できる電話機の載置構造を提供することにある。
【課題を解決するための手段】
【０００６】
上記課題を解決するために、本考案は、電話機本体とハンドセットからなる電話機のハンドセット載置構造において、前記ハンドセットは、前記電話機本体から自ハンドセットを取り出す際に押下されるボタンと、前記ハンドセットの上下または左右のいずれか２以上の端面にレバー先端部が出入するガイド孔が形成された端面構造と、前記ボタンが押下されていない状態で前記レバー先端部が前記ガイド孔から突出するバネ構造と、前記ボタンの押下と連動して前記レバー先端部が前記ガイド孔から突出しなくなるレバー構造と、を有し、前記電話機本体は、前記レバー先端部が前記ガイド孔から突出した状態で、突出した前記レバー先端部と係合する凹設した係合孔を有することを特徴とする。
【考案の効果】
【０００７】
本考案によれば、ハンドセットは、ハンドセットの端面に形成されたガイド孔から突出したレバー先端部とクレードルの係合孔との係合によって支持されるので、ハンドセットは載置面に垂直方向と、載置面内の上下方向及び左右方向からの力や振動、揺れに対して脱落せず、電話機本体に固定することができる。このため、電話機を垂直な壁、柱は勿論、天井やオーバーハングした壁等に取り付けてもハンドセット載置状態を安定に保持することができる。
また、前記ガイド孔から突出したレバー先端部は、ハンドセットをグリップする箇所等に設けられたボタンを押下すれば引込むので、ハンドセットの取出しがスムーズである。
【図面の簡単な説明】
【０００８】
【図１】ハンドセットの構造図。ハンドセットがクレードルに固定されている状態を示す。同図（Ａ）は平面図、同図（Ｂ）は同図（Ａ）のＡ−Ａ線に沿った断面図、同図（Ｃ）は同図（Ａ）のＢ−Ｂ線に沿った断面図である。
【図２】ハンドセット内部のレバーの構造図。同図（Ａ）は平面図、同図（Ｂ）は右側面図である。
【図３】ハンドセット内部のバネの構造図。同図（Ａ）は平面図、同図（Ｂ）は右側面図である。
【図４】ハンドセット内部のボタンの構造図。同図（Ａ）は平面図、同図（Ｂ）は右側面図である。
【図５】クレードルの斜視図。
【図６】ハンドセット及びクレードルの斜視図。ハンドセットがクレードルに固定されている状態を示す。
【図７】クレードルに固定されているハンドセットを脱装する手順を説明するためのハンドセットの構造図。ハンドセットのボタンを押下し、レバーがハンドセット内部に収納された状態を示す。同図（Ａ）は平面図、同図（Ｂ）は同図（Ａ）のＣ−Ｃ線に沿った断面図、同図（Ｃ）は同図（Ａ）のＤ−Ｄ線に沿った断面図である。
【図８】クレードルに固定されているハンドセットを脱装する手順を説明するためのハンドセット及びクレードルの斜視図。ハンドセットをクレードルから脱装した状態を示す。
【考案を実施するための形態】
【０００９】
本考案の実施形態に係るハンドセットの構造を図１に示す。ハンドセット１の内部には２本のレバー７１、７２及びボタン６１があり、レバー７１、７２はそれぞれレバー押さえ２１、２２及び２３、２４によって挟み込まれており、ボタン６１はボタン押さえ２５、２６によって挟み込まれている。レバー７１、７２の一端はバネ５１両端のアーム５２、５３と係合する係合孔７３、７４、及びガイド支柱２７、２８が貫通する細長いガイド孔７５、７６が空いており、バネ５１によりレバー７１、７２は互いに接続され連動する。ボタン６１には、突起６２、ボタン押下部６４、及びストッパー６３が形成されている。ボタン押下部６４が押下されていない図１の状態では、バネ５１は直線状に伸びた状態である。レバー７１、７２の他端はハンドセット１から突出し、クレードル２に凹設した係合孔８１、８２と係合するレバー先端部７９、８０及びレバー先端凸面３３、３４と、レバー先端部７９、８０を区切り、突出量を制限するストッパー７７、７８によって形成される。３１、３２はハンドセット上ケースである。
【００１０】
図２にハンドセット内部のレバー７１（または７２）の細部構造を示す。レバー７１（または７２）は、バネ５１のアーム５２（または５３）と係合する係合孔７３（または７４）、ガイド孔７５（または７６）、先端部を区切り、突出量を制限するストッパー７７（または７８）、レバー先端部７９（または８０）によって形成される。レバー先端凸面３３（または３４）は図２（Ｂ）に示すようにクレードル２側に向かって滑らかな凸面を形成している。
【００１１】
図３にハンドセット内部のバネ５１の細部構造を示す。バネ５１にはコイル部５４を有するねじりコイルバネを使用し、両端のアーム５２、５３の先端がレバー７１、７２の係合孔７３、７４と係合することにより、２つのレバー７１、７２を同時に引き込んだり、同時に押し出したりする作用を果たす。
【００１２】
図４にハンドセット内部のボタン６１の細部構造を示す。ボタン６１には、バネ５１のコイル部５４を巻着するための突起６２、ボタン押下部６４、及びボタン押下部６４を区切り、突出量を制限するストッパー６３が形成されている。
【００１３】
本考案の実施形態に係るクレードル２の斜視図を図５に示す。クレードル２には、ハンドセット１に貫設するレバー７１、７２のレバー先端部７９、８０とそれぞれ係合する、クレードル２に凹設した係合孔８１、８２を形成する。
【００１４】
図６はハンドセット１及びクレードルの斜視図であり、ハンドセット１がクレードル２に固定されている状態である。この状態のハンドセット１は前記図１の状態にあり、図１（Ｂ）及び同図（Ｃ）に示す通り、ハンドセット１のレバー先端部７９、８０がクレードル２の係合孔８１、８２と係合している。この状態においてハンドセット１をクレードル２から脱装する為にボタン押下部６４を押下すると、ボタン６１のストッパー６３が、ボタン６１を挟み込んでいる二本のボタン押さえ２５、２６に当接するまでハンドセット１内部に埋没し、ボタン６１の突起６２に巻着しているバネ５１のコイル部５４が左方向へ移動する結果、バネ５１はコイル部５４を頂点として、くの字状に屈折する。
【００１５】
レバー７１、７２にはバネ５１が屈折する挙動に追従してそれぞれ左下方向、及び左上方向の力が加わるが、レバー７１、７２のガイド孔７５、７６に貫通しているガイド支柱２７、２８及びレバー７１、７２のレバー押さえ２１、２２、及び２３、２４によって移動方向が制限されているため、レバー７１、７２はそれぞれ下方向、及び上方向へ移動し、その結果レバー先端部７９、８０はハンドセット１内部に収納される。この状態を図７に示す。
【００１６】
レバー先端部７９、８０がハンドセット１内部に収納されることによって、レバー先端部７９、８０とクレードル２の係合孔８１、８２はそれぞれ係合しない状態となる。従って、ボタン押下部６４を押下したままハンドセット１をクレードル２底面に対して垂直上方に持ち上げることにより、ハンドセット１をクレードル２から脱装することができる。
【００１７】
脱装した後、押下されているボタン押下部６４を押下状態から解放すると、バネ５１はコイル部５４のねじれが戻る結果、バネ５１両端のアーム５２、５３、及び中央のコイル部５４が上下方向直線状に伸びた状態に戻る。同時にボタン６１、レバー７１、７２もボタン押下部６４押下前の位置に戻り、ボタン押下部６４及びレバー先端部７９、８０は、ハンドセット１から突出した状態に戻る。この状態を図８に示す。
【００１８】
図８の状態から、ハンドセット１をクレードル２に固定するには、ボタン押下部６４を押下せずに、レバー先端部７９、８０がハンドセット１から突出したままクレードル２底面に対してハンドセット１を垂直下方に下ろす操作をして載置することが可能である。レバー先端凸面３３、３４は、図２（Ｂ）に示す通り滑らかな凸面である。そのため前記操作を行うことで、突出したレバー先端凸面３３、３４がクレードル２の上部、下部の稜と接触する。ハンドセット１を押し下げると、レバー先端部７９、８０はクレードル２の稜からレバー先端凸面３３、３４に垂直に力を受ける。この時、ハンドセット載置面に対し上方にはハンドセット上ケース３１、３２で押さえられているので移動せず、レバー７１、７２はレバー押さえ２１、２２及び２３、２４とガイド孔７５、７６、ガイド支柱２７、２８に導かれながらハンドセット載置面に対し水平に移動し、ハンドセット内部に入り込む。すると、バネ５１のアーム５２、５３は次第にくの字となり、バネ５１のコイル部５４のねじれが大きくなる。さらにハンドセット１をクレードル２底面に対して垂直方向に押し込むと、レバー先端部７９、８０の最先端がクレードル２の上部内壁面と下部内壁面に接触し、接触状態を保ちながら摺動するので、ハンドセット１がクレードル２の底面方向へ垂直に移動する。
【００１９】
ハンドセット１のレバー先端部７９、８０がクレードル２の係合孔８１、８２の位置まで達すると、バネ５１の応力によりハンドセット１のレバー先端部７９、８０がクレードル２の係合孔８１、８２の空間内に突出して、クレードル２の係合孔８１、８２と係合する。係合状態ではハンドセット１をクレードル２の載置面から垂直に引き離そうとしても、図１（Ｂ）及び同図（Ｃ）に図示の通り、レバー先端部７９、８０とクレードル２の係合孔８１、８２との面接触状態が保持され、ハンドセット１はクレードル２の載置面から垂直方向に移動不可である。その結果、ハンドセット１をクレードル２に固定することができ、大きな振動、揺れに対してハンドセット１がクレードル２から脱落するのを防止することが可能となる。
【符号の説明】
【００２０】
１                        ハンドセット
２                        クレードル
２１、２２、２３、２４    レバー押さえ
２５、２６                ボタン押さえ
２７、２８                ガイド支柱
３１、３２                ハンドセット上ケース
３３、３４                レバー先端凸面
５１                      バネ
５２、５３                アーム
５４                      コイル部
６１                      ボタン
６２                      突起
６３                      ストッパー
６４                      ボタン押下部
７１、７２                レバー
７３、７４                係合孔
７５、７６                ガイド孔
７７、７８                ストッパー
７９、８０                レバー先端部
８１、８２                係合孔
【図１】
0003164939.tif 000003
【図２】
0003164939.tif 000004
【図３】
0003164939.tif 000005
【図４】
0003164939.tif 000006
【図５】
0003164939.tif 000007
【図６】
0003164939.tif 000008
【図７】
0003164939.tif 000009
【図８】
0003164939.tif 000010